(57)【要約】      （修正有）【課題】多様な送信方式を採用できる送信方法及び装置を提供する。【解決手段】メイン同期周波数領域信号以外の周波数領域信号に対応する時間領域信号を取得しＳ１０２、予め記憶されていた少なくとも二つのメイン同期時間領域信号から一つのメイン同期時間領域信号を決定して重み付け処理を行いＳ１０４、該時間領域信号と重み付け処理を経た該一つのメイン同期時間領域信号を加算して送信するＳ１０６。【選択図】図１
2016174351.tif 000002
【特許請求の範囲】
【請求項１】
メイン同期周波数領域信号以外の周波数領域信号に対応する時間領域信号を取得することと、
予め記憶されていた少なくとも二つのメイン同期時間領域信号から一つのメイン同期時間領域信号を決定して重み付け処理を行うことと、
前記時間領域信号と重み付け処理を経た前記一つのメイン同期時間領域信号とを加算して送信することと、を含むことを特徴とする送信方法。
【請求項２】
メイン同期周波数領域信号以外の周波数領域信号に対応する時間領域信号を取得することが、
メイン同期周波数領域信号以外の周波数領域信号を生成して、生成した前記周波数領域信号を変換して得る時間領域信号を取得することを含むことを特徴とする請求項１に記載の方法。
【請求項３】
予め記憶されていた少なくとも二つのメイン同期時間領域信号から一つのメイン同期時間領域信号を決定して重み付け処理を行う前に、
メイン同期周波数領域信号を前記メイン同期時間領域信号に変換することと、
変換後の前記メイン同期時間領域信号を記憶することと、をさらに含むことを特徴とする請求項１に記載の方法。
【請求項４】
予め記憶されていた少なくとも二つのメイン同期時間領域信号から一つのメイン同期時間領域信号を決定して重み付け処理を行うことが、
セルマークＩＤに基づいて、予め記憶されていた前記少なくとも二つのメイン同期時間領域信号から一つのメイン同期時間領域信号を選択して出力と位相の重み付け処理を行うことを含むことを特徴とする請求項１に記載の方法。
【請求項５】
セルマークＩＤに基づいて、予め記憶されていた前記少なくとも二つのメイン同期時間領域信号から一つのメイン同期時間領域信号を選択して出力と位相の重み付け処理を行うことが、
セルマークＩＤに基づいて、予め記憶されていた前記少なくとも二つのメイン同期時間領域信号から一つのメイン同期時間領域信号を選択し、前記一つのメイン同期時間領域信号と一つの複素数を掛け算することで前記一つのメイン同期時間領域信号の出力と前記一つのメイン同期時間領域信号の初期位相を調節することを含むことを特徴とする請求項４に記載の方法。
【請求項６】
メイン同期周波数領域信号以外の周波数領域信号に対応する時間領域信号を取得する取得コンポーネントと、
予め記憶されていた少なくとも二つのメイン同期時間領域信号から一つのメイン同期時間領域信号を決定して重み付け処理を行う重み付け処理コンポーネントと、
前記時間領域信号と重み付け処理を経た前記一つのメイン同期時間領域信号とを加算して送信する送信コンポーネントと、を含むことを特徴とする送信装置。
【請求項７】
前記取得コンポーネントが、
メイン同期周波数領域信号以外の周波数領域信号を生成し、生成した前記周波数領域信号を変換して得る時間領域信号を取得する取得サブコンポーネントを含むことを特徴とする請求項６に記載の装置。
【請求項８】
メイン同期周波数領域信号を前記メイン同期時間領域信号に変換する変換コンポーネントと、
変換後の前記メイン同期時間領域信号を記憶する記憶コンポーネントをさらに含むことを特徴とする請求項６に記載の装置。
【請求項９】
前記重み付け処理コンポーネントが、
セルマークＩＤに基づいて、予め記憶されていた前記少なくとも二つのメイン同期時間領域信号から一つのメイン同期時間領域信号を選択して出力と位相の重み付け処理を行う重み付け処理サブコンポーネントを含むことを特徴とする請求項６に記載の装置。
【請求項１０】
前記重み付け処理サブコンポーネントが、
セルマークＩＤに基づいて、予め記憶されていた前記少なくとも二つのメイン同期時間領域信号から一つのメイン同期時間領域信号を選択し、前記一つのメイン同期時間領域信号と一つの複素数を掛け算することで前記一つのメイン同期時間領域信号の出力と前記一つのメイン同期時間領域信号の初期位相を調節する処理ユニットを含むことを特徴とする請求項９に記載の装置。
【請求項１１】
プログラムコードを記録し、
前記プログラムコードが実行されると、コンピュータに、
メイン同期周波数領域信号以外の周波数領域信号に対応する時間領域信号を取得する機能と、
予め記憶されていた少なくとも二つのメイン同期時間領域信号から一つのメイン同期時間領域信号を決定して重み付け処理を行う機能と、
前記時間領域信号と重み付け処理を経た前記一つのメイン同期時間領域信号とを加算して送信する機能と、
を実行させることを特徴とするコンピュータ読み取り可能な記憶媒体。
【発明の詳細な説明】
【技術分野】
【０００１】
本発明は、通信分野に関し、具体的には、送信方法及び装置に関する。
【背景技術】
【０００２】
無線通信中システム側と端末機器（Ｕｓｅｒ  Ｅｑｕｉｐｍｅｎｔ、ＵＥと略称）との間で同期を確立する前に同期信号の検出を行わなければならなく、同期信号が強い自己相関性及び低い相関関係の特性を有する場合のみ、端末機器が低い信号インターフェース  プラス  ノイズ比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲと略称）で基地局にアクセスすることができる。通常、同期信号を設定する際、一つのメイン同期信号と一つのサブ同期信号を設定する。メイン同期信号は粗同期の実現に用いられ、サブ同期信号はフレームの同期位置を精確に決定するのに用いられる。現在、基地局が信号を送信する際、同期信号と他の非同期信号とを一緒にオンライン処理し、同期信号は単一である。
関連技術において、信号を送信する方式が単一である問題について、未だに有効な解決案が提示されていない。
【発明の概要】
【発明が解決しようとする課題】
【０００３】
本発明の実施の形態は、関連技術における信号送信方式が単一である問題を解決できる送信方法及び装置を提供する。
【課題を解決するための手段】
【０００４】
本発明の一態様によると、メイン同期周波数領域信号以外の周波数領域信号に対応する時間領域信号を取得することと、予め記憶されていた少なくとも二つのメイン同期時間領域信号から一つのメイン同期時間領域信号を決定して重み付け処理を行うことと、前記時間領域信号と重み付け処理を経た前記一つのメイン同期時間領域信号とを加算して送信することと、を含み得る送信方法を提供する。
【０００５】
さらに、メイン同期周波数領域信号以外の周波数領域信号に対応する時間領域信号を取得することが、メイン同期周波数領域信号以外の周波数領域信号を生成して、生成した前記周波数領域信号を変換して得る時間領域信号を取得することを含んでもよい。
【０００６】
さらに、予め記憶されていた少なくとも二つのメイン同期時間領域信号から一つのメイン同期時間領域信号を決定して重み付け処理を行う前に、メイン同期周波数領域信号を前記メイン同期時間領域信号に変換することと、変換後の前記メイン同期時間領域信号を記憶することと、をさらに含んでもよい。
【０００７】
さらに、予め記憶されていた少なくとも二つのメイン同期時間領域信号から一つのメイン同期時間領域信号を決定して重み付け処理を行うことが、セルマークＩＤに基づいて、予め記憶されていた前記少なくとも二つのメイン同期時間領域信号から一つのメイン同期時間領域信号を選択して出力と位相の重み付け処理を行うことを含んでもよい。
【０００８】
さらに、セルマークＩＤに基づいて、予め記憶されていた前記少なくとも二つのメイン同期時間領域信号から一つのメイン同期時間領域信号を選択して出力と位相の重み付け処理を行うことが、セルマークＩＤに基づいて、予め記憶されていた前記少なくとも二つのメイン同期時間領域信号から一つのメイン同期時間領域信号を選択し、前記一つのメイン同期時間領域信号と一つの複素数を掛け算することで前記一つのメイン同期時間領域信号の出力と前記一つのメイン同期時間領域信号の初期位相を調節することを含んでもよい。
【０００９】
本発明の他の一態様によると、メイン同期周波数領域信号以外の周波数領域信号に対応する時間領域信号を取得するように構成され得る取得コンポーネントと、予め記憶されていた少なくとも二つのメイン同期時間領域信号から一つのメイン同期時間領域信号を決定して重み付け処理を行うように構成され得る重み付け処理コンポーネントと、前記時間領域信号と重み付け処理を経た前記一つのメイン同期時間領域信号とを加算して送信するように構成され得る送信コンポーネントと、を含み得る送信装置を提供する。
【００１０】
さらに、前記取得コンポーネントは、メイン同期周波数領域信号以外の周波数領域信号を生成し、生成した前記周波数領域信号を変換して得る時間領域信号を取得するように構成され得る取得サブコンポーネントを含んでもよい。
【００１１】
さらに、前記装置は、メイン同期周波数領域信号を前記メイン同期時間領域信号に変換するように構成され得る変換コンポーネントと、変換後の前記メイン同期時間領域信号を記憶するように構成され得る記憶コンポーネントをさらに含んでもよい。
【００１２】
さらに、前記重み付け処理コンポーネントは、セルマークＩＤに基づいて、予め記憶されていた前記少なくとも二つのメイン同期時間領域信号から一つのメイン同期時間領域信号を選択して出力と位相の重み付け処理を行うように構成され得る重み付け処理サブコンポーネントを含んでもよい。
【００１３】
さらに、前記重み付け処理サブコンポーネントは、セルマークＩＤに基づいて、予め記憶されていた前記少なくとも二つのメイン同期時間領域信号から一つのメイン同期時間領域信号を選択し、前記一つのメイン同期時間領域信号と一つの複素数を掛け算することで前記一つのメイン同期時間領域信号の出力と前記一つのメイン同期時間領域信号の初期位相を調節するように構成され得る処理ユニットを含んでもよい。
【発明の効果】
【００１４】
本発明によると、メイン同期周波数領域信号以外の周波数領域信号に対応する時間領域信号を取得し、また、予め記憶されていた少なくとも二つのメイン同期時間領域信号から一つのメイン同期時間領域信号を決定して重み付け処理を行い、前記時間領域信号と重み付け処理を経た前記一つのメイン同期時間領域信号を加算して送信することによって、関連技術における信号送信方式が単一である問題を解決し、送信方式を多様化することができる。
【図面の簡単な説明】
【００１５】
ここで説明する図面は本発明を理解させるためのもので、本発明の一部を構成する。本発明における実施例およびその説明は、本発明を説明するもので、本発明を不当に限定するものではない。
【図１】図１は、本発明の実施例に係わる送信方法を示すフローチャートである。
【図２】図２は、本発明の実施例に係わる送信装置を示すブロック図である。
【図３】図３は、本発明の好適な実施例に係わる送信装置の第１のブロック図である。
【図４】図４は、本発明の好適な実施例に係わる送信装置の第２のブロック図である。
【図５】図５は、本発明の好適な実施例に係わる送信装置の第３のブロック図である。
【図６】図６は、本発明の好適な実施例に係わる送信装置の第４のブロック図である。
【図７】図７は、本発明の実施例に係わる長期エボリューション（ＬＴＥ）におけるメイン同期信号の送信を示すフローチャートである。
【図８】図８は、本発明の実施例３に係わる汎用計算装置及びプログラムコードを用いて送信方法を実現するためのハードウェアの実現例を示す図である。
【図９】図９は、本発明の実施例に係わる送信方法を実現するためのもう一つのハードウェアの実現例を示す図である。
【発明を実施するための形態】
【００１６】
以下、図面を参照しつつ実施例を結合して本発明を説明する。ここで、相互に衝突しない限り、本願の実施例及び実施例中の特徴を互いに結合することができる。
【００１７】
本実施例は送信方法を提供する。図１は本発明の実施例に係わる送信方法を示すフローチャートである。図１に示すように、フローは以下のステップＳ１０２〜Ｓ１０６を含むことができる：
ステップＳ１０２：メイン同期周波数領域信号以外の周波数領域信号に対応する時間領域信号を取得し得る。
【００１８】
メイン同期周波数領域信号以外の周波数領域信号に対応する時間領域信号を取得する方式はさまざまで、一つの実施例において、メイン同期周波数領域信号以外の周波数領域信号を生成し、該生成した周波数領域信号を変換して得る時間領域信号を取得することができる。実際の適用において、該方法の適用性を高めるために、３ＧＰＰ  ＬＴＥプロトコルに基づいて、メイン同期信号以外の物理時間領域信号を生成することができ、ここで、時間領域信号はサイクリックプレフィックス（Ｃｙｃｌｉｃ  Ｐｒｅｆｉｘ、ＣＰと略称）部分を含んでもよいし、ＣＰ部分を含まなくてもよい。
【００１９】
ステップＳ１０４：予め記憶されていた少なくとも二つのメイン同期時間領域信号から一つのメイン同期時間領域信号を決定し得て重み付け処理を行う。
予め記憶されていた少なくとも二つのメイン同期時間領域信号から一つのメイン同期時間領域信号を決定する方式はさまざまで、一つの実施例において、セルＩＤに基づいて、予め記憶されていた少なくとも二つのメイン同期時間領域信号から一つのメイン同期時間領域信号を選択することができる。
【００２０】
セルＩＤに基づいて選択したローカルのメイン同期信号の対応関係は表１に示すとおりであって、セルＩＤに基づいて、
2016174351.tif 000003
シーケンスuを判定し、即ち、メイン同期信号の時間領域シーケンスを判定することができる。
【００２１】
【表１】
2016174351.tif 000004
【００２２】
選択したメイン同期時間領域信号に出力と位相の重み付け処理を行う方式はさまざまで、一つの実施例において、該選択したメイン同期時間領域信号と一つの複素数を掛け算することで、該メイン同期時間領域信号の出力と該メイン同期時間領域信号の初期位相を調節することができる。以下、具体的な実現例を説明する。
【００２３】
上述した同期信号に行う出力と位相の重み付けとは、同期信号の重み付け要素と同期信号に複素数を掛け算することを指す。
2016174351.tif 000005
を示し、異なる送信アンテナ同士の
2016174351.tif 000006
一つの実施例において、下式に従って重み付け処理を行うことができる：
【００２４】
【数１】
2016174351.tif 000007
【００２５】
一好適な実施例として、当該ステップＳ１０４にて使用される予め記憶されていた少なくとも二つのメイン同期時間領域信号は、予め記憶されることができる。該少なくとも二つのメイン同期時間領域信号は、メイン同期周波数領域信号を変換することで得られることができ、変換後、変換して得た該少なくとも二つのメイン同期時間領域信号は、記憶されることができ、このようにして、基地局側の演算複雑度を低減する。実際の適用において、予めローカルに記憶されていたメイン同期時間領域信号が複数あることが可能で、例えば、三つのメイン同期時間領域信号をローカルに予め記憶することができ、それぞれの信号には、ＣＰが含まれていてもよいし、ＣＰが含まれていなくてもよい。
【００２６】
下式に従って、周波数領域の
2016174351.tif 000008
を生成することができる：
【００２７】
【数２】
2016174351.tif 000009
ここで、ｕの値は２５、２９、３４の三つである。
【００２８】
下式に従って、周波数領域のメイン同期信号のリソースのマッピングを実現することができる：
【００２９】
【数３】
2016174351.tif 000010
ここで、Ｎは、一つのＯＦＤＭシンボル内のサンプリングポイント数で、ＣＰを含んでいない。
【００３０】
周波数領域のメイン同期信号を時間領域に変換して記憶することができる：
【００３１】
【数４】
2016174351.tif 000011
ここで、ＩＦＦＴは逆フーリエ変換を表す。
【００３２】
ＣＰを含むメイン同期時間領域信号の場合、それぞれの時間領域信号にＣＰサイクリックプレフィックスを追加することができる：
【００３３】
【数５】
2016174351.tif 000012
ここで、
2016174351.tif 000013
に規定のメイン同期信号によりマッピングされたＯＦＤＭシンボルのインデックスであって、
2016174351.tif 000014
のサイクリックプレフィックスの長さを示し、その値はＬＴＥプロトコル３６.２１１に規定された。
【００３４】
ステップＳ１０６：該時間領域信号と重み付け処理を経た該一つ或いは複数のメイン同期時間領域信号を加算して送信する。
【００３５】
ステップＳ１０６のための実現方式はさまざまで、例えば、ＬＴＥ時間領域の信号と重み付け処理を経たメイン同期時間領域信号とを加算してエアインターフェースを介して送信することができる。以下、ステップＳ１０６において、ＣＰを含む信号とＣＰを含まない信号とがそれぞれ対象である二つの具体的な実現例を説明する。
【００３６】
ＣＰを含まない信号の場合
メイン同期信号以外の
2016174351.tif 000015
であるとすると、ステップＳ１０６に記載の時間領域の信号の加算は、式
【００３７】
【数６】
2016174351.tif 000016
で表すことができる。ここで、
2016174351.tif 000017
に規定のメイン同期信号によりマッピングされたＯＦＤＭシンボルのインデックスである。
【００３８】
時間領域の加算の場合、サイクリックプレフィックスＣＰを追加した場合のみ信号をエアインターフェースを介して送信することができる。
【００３９】
【数７】
2016174351.tif 000018
ここで、
2016174351.tif 000019
のサイクリックプレフィックスの長さを示し、その値はＬＴＥプロトコル３６.２１１に規定されている。
【００４０】
ＣＰを含む信号の場合
上述のように得たメイン同期信号以外の
2016174351.tif 000020
とすると、ステップＳ１０６に記載の時間領域の信号の加算は式
【００４１】
【数８】
2016174351.tif 000021
で表すことができ、ここで、
2016174351.tif 000022
に規定のメイン同期信号によりマッピングされたＯＦＤＭシンボルのインデックスである。
時間領域を加算した後に信号をエアインターフェースを介して送信することができる。
【００４２】
上記ステップによると、メイン同期周波数領域信号以外の周波数領域信号に対応する時間領域信号を取得し、予め記憶されていた少なくとも二つのメイン同期時間領域信号から一つのメイン同期時間領域信号を決定して重み付け処理を行い、該時間領域信号と重み付け処理を経た該一つのメイン同期時間領域信号とを加算して送信することで、関連技術における信号送信方式が単一である問題を解決し、送信方式の多様化を実現することができる。
【００４３】
本発明の実施例によるとさらに送信装置を提供し、該装置は上記実施例及び好適な実施形態を実現するもので、既に説明した部分の説明は省略する。以下の説明で用いられる用語「コンポーネント」は所定の機能を実現できるソフト及び／又はハードの組合せである。以下の実施例で説明する装置をソフトで実現することが好ましいが、ハード又はソフトとハードの組合せで実現することも可能である。
【００４４】
図２は、本発明の実施例に係わる送信装置を示すブロック図である。図２に示すように、取得コンポーネント２２と、重み付け処理コンポーネント２４と、送信コンポーネント２６と、を含んでもよい。
取得コンポーネント２２は、メイン同期周波数領域信号以外の周波数領域信号に対応する時間領域信号を取得するように構成され得る。
重み付け処理コンポーネント２４は、予め記憶されていた少なくとも二つのメイン同期時間領域信号から一つのメイン同期時間領域信号を決定して重み付け処理を行うように構成され得る。
送信コンポーネント２６は、該時間領域信号と重み付け処理を経た該一つのメイン同期時間領域信号とを加算して送信するように構成され得る。
【００４５】
図３は本発明の好適な実施例に係わる送信装置の第１のブロック図である。図３に示すように、該取得コンポーネント２２は、
メイン同期周波数領域信号以外の周波数領域信号を生成し、生成した該周波数領域信号を変換して得る時間領域信号を取得するように構成され得る取得サブコンポーネント３２を含んでもよい。
【００４６】
図４は本発明の好適な実施例に係わる送信装置の第２のブロック図である。図４に示すように、該装置は、
メイン同期周波数領域信号を該メイン同期時間領域信号に変換するように構成され得る変換コンポーネント４２と、
変換後の該メイン同期時間領域信号を記憶するように構成され得る記憶コンポーネント４４と、をさらに含んでもよい。
【００４７】
図５は本発明の好適な実施例に係わる送信装置の第３のブロック図である。図５に示すように、該重み付け処理コンポーネント２４は、
セルマークＩＤに基づいて、予め記憶されていた少なくとも二つのメイン同期時間領域信号から一つのメイン同期時間領域信号を選択して出力と位相の重み付け処理を行うように構成され得る重み付け処理サブコンポーネント５２を含んでもよい。
【００４８】
図６は本発明の好適な実施例に係わる送信装置の第４のブロック図である。図６に示すように、該重み付け処理サブコンポーネント５２は、
セルマークＩＤに基づいて、予め記憶されていた該少なくとも二つのメイン同期時間領域信号から一つのメイン同期時間領域信号を選択し、該一つのメイン同期時間領域信号と一つの複素数とを掛け算することで、該一つのメイン同期時間領域信号の出力と該一つのメイン同期時間領域信号の初期位相を調節するように構成され得る処理ユニット６２を含んでもよい。
【００４９】
以下、本発明の実施例をさらに詳しく説明する。一つの実施例において、ＬＴＥにおけるメイン同期信号の送信方法を提供し、まず、オフラインでローカルに予め三つのメイン同期信号時間領域シーケンスを記憶することと、３ＧＰＰ  ＬＴＥプロトコルに基づいて、メイン同期信号以外の物理時間領域信号を生成することと、セルＩＤに基づいて、ローカルの三つの時間領域メイン同期信号から一つのメイン同期信号を選択し、関連する出力と位相の重み付けを行うことと、前記ＬＴＥのメイン同期信号以外の時間領域信号と前記メイン同期信号とを時間領域で加算してからエアインターフェースを介して送信することと、を含んでもよい。ここで、３ＧＰＰ  ＬＴＥプロトコルは、３６.２１１〜３６.２１３を含むことができ、上述した
2016174351.tif 000023
と表すことができる。
【００５０】
上述したメイン同期信号に行う出力と位相の重み付けとは、同期信号シーケンスに出力の調節及びシーケンスに初期位相の調節を行うことを指し、その実現方式はさまざまであって、一つの複素数を掛け算することで実現することもできる。
【００５１】
本発明のもう一つの実施例によると、プログラムコードを記録するコンピュータ読み取り可能な記憶媒体をさらに提供し、該プログラムコードは、実行されるとコンピュータに以下の機能を実行させる：
メイン同期周波数領域信号以外の周波数領域信号に対応する時間領域信号を取得し、
予め記憶されていた少なくとも二つのメイン同期時間領域信号から一つのメイン同期時間領域信号を決定して重み付け処理を行い、
該時間領域信号と重み付け処理を経た該一つのメイン同期時間領域信号とを加算して送信する。
【００５２】
（実施例１）
図７は本発明の実施例に係わるＬＴＥにおけるメイン同期信号の送信を示すフローチャートである。図７に示すように、以下のステップＳ７０２〜Ｓ７０８を含むことができる：
ステップＳ７０２：  予めローカルに三つのメイン同期時間領域信号を記憶でき、信号はサイクリックプレフィックス（Ｃｙｃｌｉｃ  Ｐｒｅｆｉｘ、ＣＰと略称）を含んでおらず、
下式に従って周波数領域の
2016174351.tif 000024
を生成することができる：
【００５３】
【数９】
2016174351.tif 000025
ここで、ｕの値は、２５、２９、３４の三つである。
【００５４】
周波数領域のメイン同期信号のリソースマッピングは下式で実現され得る：
【００５５】
【数１０】
2016174351.tif 000026
ここで、Ｎは一つのＯＦＤＭシンボル内のサンプリングポイント数で、ＣＰを含んでいない。
【００５６】
周波数領域のメイン同期信号を時間領域に変換して記憶することができる。
【００５７】
【数１１】
2016174351.tif 000027
ここで、ＩＦＦＴは逆フーリエ変換を示す。
【００５８】
ステップＳ７０４：３ＧＰＰ  ＬＴＥプロトコルに基づいて、メイン同期信号以外の物理時間領域信号を生成でき、時間領域信号はＣＰ部分を含んでいない。
ステップＳ７０６：セルＩＤに基づいて、ローカルの時間領域メイン同期信号を選択し、関連する出力と位相の重み付けを行うことができる。
【００５９】
上述したセルＩＤに基づいて選択したローカルのメイン同期信号の対応関係は表２に示すとおりであって、セルＩＤに基づいて、
2016174351.tif 000028
シーケンスuを判定し、即ち、メイン同期信号の時間領域シーケンスを判定することができる。
【００６０】
【表２】
2016174351.tif 000029
【００６１】
上述した同期信号に行う出力と位相の重み付けとは、同期信号の重み付け要素と同期信号に複素数を掛け算することを指す。
2016174351.tif 000030
を示し、異なる送信アンテナ同士の
2016174351.tif 000031
一つの実施例において、下式に従って重み付け処理を行うことができる：
【００６２】
【数１２】
2016174351.tif 000032
【００６３】
ステップＳ７０８：  ステップＳ７０４にて得たＬＴＥ時間領域の信号とステップＳ７０６にて得たメイン同期時間領域信号とを加算してエアインターフェースを介して送信することができる。
【００６４】
ステップＳ７０４にて得たメイン同期信号以外の
2016174351.tif 000033
であるとすると、ステップＳ７０８に記載の時間領域の信号の加算は式
【００６５】
【数１３】
2016174351.tif 000034
で表すことができる。ここで、
2016174351.tif 000035
に規定のメイン同期信号によりマッピングされたＯＦＤＭシンボルのインデックスである。
【００６６】
時間領域の加算の場合、サイクリックプレフィックスＣＰを追加した場合のみ信号をエアインターフェースを介して送信することができる。
【数１４】
2016174351.tif 000036
ここで、
2016174351.tif 000037
のサイクリックプレフィックスの長さを示し、その値はＬＴＥプロトコル３６.２１１に規定されている。
【００６７】
上記ステップによると、ＬＴＥ基地局における同期信号の送信を実現し、端末機器が無線チャネルにて基地局との同期を実現することができ、システムの要求を満たすことができる。
【００６８】
（実施例２）
まず、ローカルに三つのサイクリックプレフィックスを含むメイン同期時間領域信号を記憶でき、具体的に以下のステップを含むことができる：
下式に従って、周波数領域の
2016174351.tif 000038
を生成することができる：
【００６９】
【数１５】
2016174351.tif 000039
ここで、ｕの値は２５、２９、３４の三つである。
【００７０】
下式に従って、周波数領域のメイン同期信号のリソースのマッピングを実現することができる：
【００７１】
【数１６】
2016174351.tif 000040
ここで、Nは、一つのＯＦＤＭシンボル内のサンプリングポイント数で、ＣＰを含んでいない。
【００７２】
周波数領域のメイン同期信号を時間領域に変換して記憶することができる：
【００７３】
【数１７】
2016174351.tif 000041
ここで、ＩＦＦＴは逆フーリエ変換を表す。
【００７４】
時間領域信号にＣＰサイクリックプレフィックスを追加することができる：
【００７５】
【数１８】
2016174351.tif 000042
ここで、
2016174351.tif 000043
に規定のメイン同期信号によりマッピングされたＯＦＤＭシンボルのインデックスであって、
2016174351.tif 000044
のサイクリックプレフィックスの長さを示し、その値はＬＴＥプロトコル３６.２１１に規定された。
【００７６】
３ＧＰＰ  ＬＴＥプロトコルに基づいて、メイン同期信号以外の物理時間領域信号を生成でき、時間領域信号はＣＰ部分を含んでいる。
【００７７】
セルＩＤに基づいて、ローカルの時間領域のメイン同期信号を選択し、関連する出力と位相の重み付けを行うことができ、上述したセルＩＤに基づいて選択したローカルのメイン同期信号の対応関係は表３に示すとおりであって、セルＩＤに基づいて
2016174351.tif 000045
シーケンスuを判定し、即ち、メイン同期信号時間領域シーケンスを判定することができる。
【００７８】
【表３】
2016174351.tif 000046
【００７９】
上述した同期信号に行う出力と位相の重み付けとは、同期信号の重み付け要素と同期信号に複素数を掛け算することを指す。
【００８０】
上述のようにして得られたＬＴＥ時間領域信号とメイン同期時間領域信号とを加算してエアインターフェースから送信することができる。
【００８１】
上述のように得たメイン同期信号以外の
2016174351.tif 000047
とすると、上述した時間領域の信号の加算は式
【００８２】
【数１９】
2016174351.tif 000048
で表すことができ、ここで、
2016174351.tif 000049
に規定のメイン同期信号によりマッピングされたＯＦＤＭシンボルのインデックスである。時間領域を加算した後に信号をエアインターフェースを介して送信することができる。
【００８３】
（実施例３）
この好適な実施例は、汎用計算装置及びプログラムコードを用いて送信方法を実現するためのハードウェアの実現例を提供する。
【００８４】
図８は、本発明の実施例３に係わる汎用計算装置及びプログラムコードを用いて送信方法を実現するためのハードウェアの実現例を示す図である。図８に示すように、このハードウェアのブロック図において、プログラムコードを実行するためのプロセッサ８２２と、該プログラムコードを記憶するための記憶ユニット８２４とを含み得るコンピュータシステム８２が含まれている。該プロセッサ８２２は、アドレスバス、データバス、制御用バスといったバスを用いて該記憶ユニット８２４に接続されることができる。プログラムの実行中、対応する操作を実現するために、プロセッサ８２２は、記憶ユニット８２４からプログラムコードを読み取って実行することができる。
【００８５】
上述した実施例に記載の取得コンポーネント２２又は取得サブコンポーネント３２は以下の方式で実現できる：プロセッサ８２２は、時間領域信号を取得するように、又は周波数領域信号を生成し変換するように、記憶ユニット８２４から対応するプログラムコードを読み取って実行する。
【００８６】
上述した実施例に記載の重み付け処理コンポーネント２４、或いは重み付け処理サブコンポーネント５２、又は処理ユニット６２は以下の方式で実現できる：プロセッサ８２２は、一つのメイン同期時間領域信号を決定して重み付け処理を行うように、記憶ユニット８２４から対応するプログラムコードを読み取って実行する。
【００８７】
上述した実施例に記載の送信コンポーネント２６は以下の方式で実現できる：プロセッサ８２２は、時間領域信号を加算しその結果を送信するように、記憶ユニット８２４から対応するプログラムコードを読み取って実行する。
【００８８】
上述した実施例に記載の変換コンポーネント４２は以下の方式で実現できる：プロセッサ８２２は、メイン同期周波数領域信号をメイン同期時間領域信号に変換するように、記憶ユニット８２４から対応するプログラムコードを読み取って実行する。
【００８９】
上述した実施例に記載の記憶コンポーネント４４は記憶ユニット８２４を用いて実現することができる。
【００９０】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、さらに、夫々集積回路ブロックに製作したり、それらにおける複数のブロック又はステップを単独の集積回路ブロックに製作して実現したりして、ここで説明した手順と異なって示した又は説明したステップを実行することができることは明らかなことである。
【００９１】
（実施例４）
本実施例は、送信方法を実現するもう一つのハードウェアの実現例を提供する。図９は、本発明の実施例に係わる送信方法を実現するもう一つのハードウェアの実現を示す図である。
【００９２】
図９に示すように、パラーメータ解析コンポーネント９１はＣＭＡＣ（媒体アクセス制御層）が物理層へ伝送する各業務と制御チャネルのパラーメータを解析し、セル帯域幅、セルＩＤ、セルロジックアンテナポート数等を含むがこれらに限定されることはない。メイン同期時間領域信号の記憶領域９２は少なくとも２セットのローカルのメイン同期時間領域同期信号を記憶し、また、上述した実施例に記載の記憶コンポーネント４４は、該記憶領域９２に記憶されてもよい。該メイン同期時間領域同期信号は変換コンポーネント４２によりメイン同期周波数領域信号を変換して得たものであって、メイン同期時間領域同期信号は通常、ＦＰＧＡの静態記憶領域に記憶される。メイン同期信号重み付け処理コンポーネント９３は基本的な掛け算演算を行って、信号の重み付け操作を行い、また、上述した実施例における重み付け処理コンポーネント２４は、該メイン同期信号重み付け処理コンポーネント９３であってもよい。
【００９３】
一好適な実施形態として、重み付け処理コンポーネント２４中の重み付け処理サブコンポーネント５２（又は重み付け処理サブコンポーネント５２が更に含む処理ユニット６２）が、セルマークＩＤに基づいて、予め記憶していた少なくとも２つのメイン同期時間領域信号から一つのメイン同期時間領域信号を選択して、出力と位相重み付け処理を行う。業務チャネル／制御チャネル生成コンポーネント９４は業務チャネル／制御チャネルを生成することができ、該生成プロセスは、メイン同期信号の生成と同期して行うことができ、業務チャネル／制御チャネルを生成した後、ＩＦＦＴコンポーネント９５を利用して、生成した信号を時間領域信号に変換し、以上のプロセスを経て、最終的にメイン同期信号以外のＬＴＥ時間領域信号を生成し、また、上述した実施例に記載の取得コンポーネント２２は、業務チャネル／制御チャネル生成コンポーネント９４とＩＦＦＴコンポーネント９５との結合であってよい。
【００９４】
一実施形態として、取得コンポーネント２２に含まれた取得サブコンポーネント３２によってメイン同期周波数領域信号以外の周波数領域信号を生成し、生成した前記周波数領域信号を変換した時間領域信号を取得する。時間領域信号重なりコンポーネント９６は、上述した実施例に記載の送信コンポーネント２６の機能を実現し、メイン同期信号とメイン同期信号以外のＬＴＥ信号時間領域の積算操作を行って、最後にインターフェースを介してデータをＩＱプラットフォーム９７に送信する。
【００９５】
上述したハードウェアの実現例は、実際に様々なハードウェアで実現されることができ、例えば、フィールドプログラマブルゲートアレイ（Field-Programmable Gate Array、ＦＰＧＡと略称）、デジタル信号処理（ＤＳＰ）、特定用途向け集積回路（ＡＳＩＣ）又はパッケージチップにより実現されることができる。
【００９６】
場合によって、示した又は説明したステップは、ここで説明した手順と異なって実行されたり、それぞれの集積回路コンポーネントを形成したりすることができ、或いは、そのうちの少なくとも二つのコンポーネント又はステップにより単独の集積回路コンポーネントを形成することで実現することができる。
【００９７】
当業者にとって、汎用計算装置及びプログラムコードによる実現方式とハードウェアによる実現方式とを組み合わせることができ、つまり、一部のコンポーネントを、例えばＦＰＧＡ回路コンポーネント又はＡＳＩＣコンポーネント等のハードウェアコンポーネントとする一方、他のコンポーネントを、特に該ハードウェアコンポーネントがこれらの機能的コンポーネントを高速に実行できる場合、汎用計算装置及びプログラムコードで実現することができることは明らかなことである。当業者がこのような場合に設計した実現方式は、同様に本願の特許範囲内に含まれるべきである。このように、本発明は如何なる特定のハードウェアとソフトウェアの結合にも限定されない。
【００９８】
以上は、本発明の好適な実施例に過ぎず、本発明を限定するものではない。当業者であれば本発明に様々な修正や変形が可能である。本発明の精神や原則内での如何なる修正、置換、改良なども本発明の保護範囲内に含まれる。
【図１】
2016174351.tif 000050
【図２】
2016174351.tif 000051
【図３】
2016174351.tif 000052
【図４】
2016174351.tif 000053
【図５】
2016174351.tif 000054
【図６】
2016174351.tif 000055
【図７】
2016174351.tif 000056
【図８】
2016174351.tif 000057
【図９】
2016174351.tif 000058
【外国語明細書】
2016174351.tif 000059
2016174351.tif 000060
2016174351.tif 000061
2016174351.tif 000062
2016174351.tif 000063
2016174351.tif 000064
2016174351.tif 000065
2016174351.tif 000066
2016174351.tif 000067
2016174351.tif 000068
2016174351.tif 000069
2016174351.tif 000070
2016174351.tif 000071
2016174351.tif 000072
2016174351.tif 000073
2016174351.tif 000074
2016174351.tif 000075
2016174351.tif 000076
2016174351.tif 000077
2016174351.tif 000078
2016174351.tif 000079
2016174351.tif 000080
2016174351.tif 000081
2016174351.tif 000082
2016174351.tif 000083
2016174351.tif 000084